【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
フッ素系界面活性剤含有水性フルオロポリマー分散体のフッ素系界面活性剤含量の低減方法であって、
輸送コンテナに前記フッ素系界面活性剤含有水性フルオロポリマー分散体を充填する工程と、
前記フッ素系界面活性剤含有水性フルオロポリマー分散体をフッ素系界面活性剤吸着剤に、前記輸送コンテナ中で接触させてフッ素系界面活性剤含量を低減する工程と
を含むことを特徴とする方法。
【請求項２】
フッ素系界面活性剤含有水性フルオロポリマー分散体のフッ素系界面活性剤含量を低減するためのシステムであって、
前記分散体およびフッ素系界面活性剤吸着剤のための輸送コンテナを含み、前記分散体を接触させてフッ素系界面活性剤含量を低減するために前記吸着剤が前記コンテナ中に配置されることを特徴とするシステム。
【手続補正２】
【補正対象書類名】明細書
【補正対象項目名】００３３
【補正方法】変更
【補正の内容】
【００３３】
本発明の利用のさらに好ましい態様においては、顧客は輸送コンテナを、吸着剤が、輸送コンテナから取り出されおよび高価なフッ素系界面活性剤の回収の処置が施されて、吸着剤が再生されるポリマー製造業者またはリサイクル業者に戻すことができる。回収されたフッ素系界面活性剤は、追加のポリマー製造にリサイクルすることができ、およびイオン交換樹脂は、再利用のために再生されることができる。吸着剤の含有に布ポーチが用いられる場合、布ポーチは、回収および／または再生の間、ならびにこれに続く取り扱いおよび保管の間の吸着剤の取り扱いにおける流れおよび補助を容易に可能とするため、布ポーチに含有された吸着剤でフッ素系界面活性剤の回収および／または吸着剤の再生を行うことは有利である。
本発明は以下の実施の態様を含むものである。
１．フッ素系界面活性剤含有水性フルオロポリマー分散体のフッ素系界面活性剤含量の低減方法であって、
輸送コンテナに前記フッ素系界面活性剤含有水性フルオロポリマー分散体を充填する工程と、
前記フッ素系界面活性剤含有水性フルオロポリマー分散体をフッ素系界面活性剤吸着剤に、前記輸送コンテナ中で接触させてフッ素系界面活性剤含量を低減する工程と
を含むことを特徴とする方法。
２．前記吸着剤がイオン交換樹脂であることを特徴とする前記１．に記載の方法。
３．前記イオン交換樹脂がアニオン性交換樹脂であることを特徴とする前記２．に記載の方法。
４．前記フッ素系界面活性剤含有水性フルオロポリマー分散体に接触される前記吸着剤の量が、フッ素系界面活性剤含量を所定のレベル以下に低減するよう選択されることを特徴とする前記１．に記載の方法。
５．前記所定のレベルが約３００ｐｐｍ以下であることを特徴とする前記４．に記載の方法。
６．前記所定のレベルが約１００ｐｐｍ以下であることを特徴とする前記４．に記載の方法。
７．前記所定のレベルが約５０ｐｐｍ以下であることを特徴とする前記４．に記載の方法。
８．前記フッ素系界面活性剤含有水性フルオロポリマー分散体または前記吸着剤のいずれかを揺動させて、前記接触工程の間に相互に相対的な動きを付与する工程をさらに含むことを特徴とする前記１．に記載の方法。
９．前記接触工程の間、前記吸着剤は閉込められていることを特徴とする前記１．に記載の方法。
１０．前記吸着剤は、前記分散体と前記吸着剤との前記接触を許容する閉込め構造によって閉込められていることを特徴とする前記９．に記載の方法。
１１．前記閉込め構造は布ポーチを含むことを特徴とする前記１０．に記載の方法。
１２．前記閉込め構造は、一般に剛性で多孔性の容器を含むことを特徴とする前記１０．に記載の方法。
１３．前記接触工程の間、前記閉込め構造を分散体と相対的に揺動させる工程をさらに含むことを特徴とする前記１０．に記載の方法。
１４．前記接触工程の間、前記分散体を前記閉込め構造と相対的に揺動させる工程をさらに含むことを特徴とする前記１０．に記載の方法。
１５．前記フッ素系界面活性剤含有水性フルオロポリマー分散体を前記閉込め構造と相対的に揺動させる前記工程は、ポンプを用いて行われることを特徴とする前記１４．に記載の方法。
１６．前記閉込め構造は吸着剤を含有するカートリッジであり、前記ポンプは分散体を前記カートリッジに供給することを特徴とする前記１５．に記載の方法。
１７．前記カートリッジは前記ポンプからの分散体を受ける中央内部流路を有し、前記吸着剤は、前記ポンプによって前記中央流路に供給される分散体が吸着剤を通って流れるよう、前記中央内部流路を囲っていることを特徴とする前記１６．に記載の方法。
１８．前記カートリッジは、フッ素系界面活性剤含量が低減された分散体を受け、および分散体を前記輸送コンテナに戻して前記コンテナ内での分散体の循環を起こす収集器をさらに含むことを特徴とする前記１７．に記載の方法。
１９．前記分散体のフッ素系界面活性剤含量が低減した後、前記吸着剤を前記分散体から分離する工程をさらに含むことを特徴とする前記１．に記載の方法。
２０．前記フルオロポリマー分散体はノニオン性界面活性剤を含有する濃縮フルオロポリマー分散体であることを特徴とする前記１．に記載の方法。
２１．前記分散体は、約１５〜約７０重量パーセントのフルオロポリマー固体濃度を有することを特徴とする前記１．に記載の方法。
２２．前記フッ素系界面活性剤含有水性フルオロポリマー分散体とフッ素系界面活性剤吸着剤との前記接触工程は、約１週間〜約６ヶ月の接触時間行われることを特徴とする前記１．に記載の方法。
２３．フッ素系界面活性剤含有水性フルオロポリマー分散体のフッ素系界面活性剤含量を低減するためのシステムであって、
前記分散体およびフッ素系界面活性剤吸着剤のための輸送コンテナを含み、前記分散体を接触させてフッ素系界面活性剤含量を低減するために前記吸着剤が前記コンテナ中に配置されることを特徴とするシステム。
２４．前記吸着剤はイオン交換樹脂であることを特徴とする前記２３．に記載のシステム。
２５．前記イオン交換樹脂はアニオン性交換樹脂であることを特徴とする前記２４．に記載のシステム。
２６．相互に相対的な動きを付与するために、前記フッ素系界面活性剤含有水性フルオロポリマー分散体または前記吸着剤のいずれかを揺動させるメカニズムをさらに含むことを特徴とする前記２３．に記載のシステム。
２７．前記吸着剤を閉込めるための閉込め構造をさらに含み、前記閉込め構造は、前記分散体と前記吸着剤との前記接触を許容することを特徴とする前記２３．に記載のシステム。
２８．前記閉込め構造は布ポーチを含むことを特徴とする前記２７．に記載のシステム。
２９．前記閉込め構造は、一般に剛性で多孔性の容器を含むことを特徴とする前記２７．に記載のシステム。
３０．前記閉込め構造を前記分散体と相対的に揺動させるメカニズムをさらに含むことを特徴とする前記２７．に記載のシステム。
３１．前記分散体を前記閉込め構造と相対的に揺動させるメカニズムをさらに含むことを特徴とする前記２７．に記載のシステム。
３２．前記フッ素系界面活性剤含有水性フルオロポリマー分散体を前記閉込め構造と相対的に揺動させる前記メカニズムがポンプであることを特徴とする前記３１．に記載のシステム。
３３．前記閉込め構造は吸着剤を含有するカートリッジであり、前記ポンプは分散体を前記カートリッジに供給することを特徴とする前記３２．に記載のシステム。
３４．前記カートリッジは前記ポンプからの分散体を受ける中央内部流路を有し、前記吸着剤は、前記ポンプによって前記中央流路に供給される分散体が吸着剤を通って流れるよう、前記中央内部流路を囲っていることを特徴とする前記３３．に記載のシステム。
３５．前記カートリッジは、フッ素系界面活性剤含量が低減された分散体を受け、および分散体を前記輸送コンテナに戻して前記コンテナ内での分散体の循環を起こす収集器をさらに含むことを特徴とする前記３４．に記載のシステム。
３６．前記閉込め構造は、前記吸着剤を前記コンテナ中の前記分散体から分離するために前記システムから取り外し可能であることを特徴とする前記２５．に記載のシステム。